(57)【要約】【課題】バッファメモリサイズに依存せずに、一つまたは二つ以上の情報記録媒体から音声データと静止画像データを同時再生するデータ再生方法を提供する。【解決手段】バッファメモリ９をリングバッファ９ａ及び９ｂに二分割し、一つを音声データ用バッファメモリ領域、他方を静止画像データ用バッファメモリ領域にし、情報記録媒体に記録されているデータの種類に応じて切り替えスイッチ６により格納するバッファメモリ領域先を選択することで同時再生を可能にし、音声データと静止画像データに限定することでバッファメモリサイズに依存することのないハードウェア構成が可能となる。【選択図】図１
2005259283.tif 000002
【特許請求の範囲】
【請求項１】
第１のデータが記録された第１の記録媒体と、第２のデータが記録された第２の記録媒体とを、同時あるいは少なくとも一方を再生可能なデータ再生装置であって、前記第１の記録媒体から再生した第１のデータを一時保存する第１の記憶手段と、前記第２の記録媒体から再生した第２のデータを一時保存する第２の記憶手段と、前記第１の記録媒体または前記第２の記録媒体からのデータを前記第１または第２の記憶手段へ選択的に出力する選択手段と、前記第１の記憶手段から出力される第１のデータを外部に出力する第１の出力手段と、前記第２の記憶手段から出力される第２のデータを外部に出力する第２の出力手段とを備え、前記第１及び第２のデータのうち少なくとも一方が、時間的な変化を伴わないデータであることを特徴とするデータ再生装置。
【請求項２】
第１のデータが記録された第１の記録媒体と、第２のデータが記録された第２の記録媒体とを、同時あるいは少なくとも一方を再生可能なデータ再生方法であって、前記第１の記録媒体から第１のデータを再生し、前記第２の記録媒体から第２のデータを再生し、第１のデータを第１の記憶手段に一時的に記憶し、第２のデータを第２の記憶手段に一時的に記憶し、記憶したデータをそれぞれ出力するものであり、再生した第１のデータは第１の記憶手段に記憶し、第２のデータは第２の記憶手段に記憶するよう制御することを特徴とするデータ再生方法。
【請求項３】
第１及び第２のデータのうち少なくとも一方が、静止画データであることを特徴とする請求項１及び２記載のデータ再生装置およびデータ再生方法。
【発明の詳細な説明】
【技術分野】
【０００１】
本発明は、光ディスクや半導体メモリなどの記録媒体を使用した再生装置、およびその記録媒体のデータを再生するためのバッファ制御方式に関する。
【背景技術】
【０００２】
一つの記録媒体を再生するためのバッファ制御方式に関して、リングバッファを利用したものが知られている。例えば、バッファメモリにデータを格納していき、格納されたデータは転送される。転送されたバッファメモリ領域は開き領域となり、新たなデータが格納できる状態となる。データの格納がバッファメモリの終端に達すると、再び、バッファメモリの先頭からデータを格納する方法である。
【０００３】
また、一つの記録媒体から二種類のデータを再生するバッファ制御方式に関して、バッファメモリを二つ用意して制御する手段があげられる。このとき、データ再生中に二つの異なったバッファメモリのどちらもアンダーフローしないような制御方法を確立する必要があった。
【０００４】
以下、従来のバッファ制御方式を用いたディスク装置について、特開平１１−１２６４２７号公報に記載された例を用いて説明する。
【０００５】
図１００は従来の光ディスク装置の再生系の構成を示すブロック図で、本例の装置に装着された光ディスク１０１は、スピンドルモータ（図示せず）により回転駆動された状態で、光学ピックアップ１０２からのレーザ光を光ディスク１０１の信号記録面に照射して、その信号記録面からの戻り光を光学ピックアップ２内で検出して、再生信号を得る。
【０００６】
光学ピックアップ１０２で検出された再生信号は、再生ＲＦ処理部１０３に供給して再生信号である高周波信号から再生データ（ここではデジタルデータ）を検出する処理を行い、検出された再生データをエラー訂正処理部１０５に供給すると共に、再生データに含まれるアドレスデータをアドレス検出部１０４に供給する。エラー訂正処理部１０５では、再生データに含まれるエラー訂正符号などを用いたエラー訂正処理を行う。エラー訂正処理が施された再生データは、切換スイッチ１０６を介してチャンネル１（以下Ｃｈ１と称する）のバッファ１０７ａとチャンネル２（以下Ｃｈ２と称す）のバッファ１０７ｂとに供給する。
【０００７】
アドレス検出部１０４では、供給されるアドレスデータから再生アドレスを検出し、その検出データをシステムコントローラ１１０に供給する。システムコントローラ１１０に再生アドレスのデータが供給されることで、光学ピックアップ１０２から光ディスク１０１に照射するレーザ光のトラック位置を、所望のトラック位置に制御する、いわゆるシーク制御処理が行われる。また、アドレス検出部１０４で検出された再生アドレスに基づいて、システムコントローラ１１０が切換スイッチ１０６での切換えを制御して、２チャンネルのバッファ１０７ａ，１０７ｂへの再生データの振り分けを制御する処理が行われる。
【０００８】
Ｃｈ１のバッファ１０７ａに供給された再生データは、デコーダ１０８ａにより再生データのデコード処理が行われ、そのデコードされたデータがＣｈ１の出力端子１０９ａに得られる。また、Ｃｈ２のバッファ１０７ｂに供給された再生データは、デコーダ１０８ｂにより再生データのデコード処理が行われ、そのデコードされたデータがＣｈ２の出力端子９ｂに得られる。
【特許文献１】特開平１１−１２６４２７号公報
【特許文献２】特開平８−５０５４４号公報
【発明の開示】
【発明が解決しようとする課題】
【０００９】
しかしながら上記従来の構成では、データ再生中にバッファメモリ１０７ａ及び１０ｂがアンダーフローしないように、バッファ容量を十分に確保する必要があった。そのため、大容量のバッファメモリを用意する必要があり、コストアップになってしまうという問題があった。
【００１０】
また、上記従来の構成は一つの記録媒体（光ディスク１０１）からビデオ信号とオーディオ信号とを同時再生する構成であり、異なる二つの記録媒体に記録されている各々のデータを一つのシステムコントローラで同時に再生制御するようなバッファ制御方法はなかった。
【００１１】
本発明は上記問題に鑑み、一つの記録媒体に記録されている独立した音声データと静止画像データ、または異なる二つの記録媒体に各々記録されている、音声データと静止画像データをバッファメモリサイズに依存せずに同時にバッファ制御し再生できるデータ再生方法およびデータ再生装置を提供することを目的とする。
【課題を解決するための手段】
【００１２】
この課題を解決するために本発明は、有限長のバッファメモリ領域を二分割し、片方の領域を音声用バッファメモリ領域、他方の領域を静止画像用バッファメモリ領域とし、一つの記録媒体または二つの記録媒体から独立した音声データと静止画像データを各々のバッファメモリ領域に格納し、バッファ制御を行うことにより、二つのデータを同時に再生制御するようにしたものである。
【００１３】
また、音声データと静止画像データの組み合わせで同時再生することにより、静止画像データが格納されるバッファメモリがアンダーフローしてもよいバッファ管理を行う。このため、バッファメモリサイズに依存しないハードウェア構成が可能となる。
【発明の効果】
【００１４】
本発明のデータ再生方式は、一つの記録媒体に記録されている独立した音声データと静止画像データ、または異なる二つの記録媒体に各々記録されている、音声データと静止画像データをバッファメモリサイズに依存せずに同時にバッファ制御し再生できる効果がある。
【発明を実施するための最良の形態】
【００１５】
本発明の請求項１〜３に記載の発明は、第１のデータが記録された第１の記録媒体と、第２のデータが記録された第２の記録媒体とを、同時あるいは少なくとも一方を再生可能なデータ再生装置であって、前記第１の記録媒体から再生した第１のデータを一時保存する第１の記憶手段と、前記第２の記録媒体から再生した第２のデータを一時保存する第２の記憶手段と、前記第１の記録媒体または前記第２の記録媒体からのデータを前記第１または第２の記憶手段へ選択的に出力する選択手段と、前記第１の記憶手段から出力される第１のデータを外部に出力する第１の出力手段と、前記第２の記憶手段から出力される第２のデータを外部に出力する第２の出力手段とを備え、前記第１及び第２のデータのうち少なくとも一方が、時間的な変化を伴わないデータであることを特徴とするものであり、これにより、一つの記録媒体に記録されている独立した音声データと静止画像データ、または異なる二つの記録媒体に各々記録されている、音声データと静止画像データをバッファメモリサイズに依存せずに同時にバッファ制御し再生できる。
【００１６】
以下、本発明を実施するための最良の形態について、図面を参照しながら説明する。
【００１７】
（実施の形態１）
図１は本発明のデータ再生方法及びデータ再生装置における同時再生機能を有した再生装置のブロック図である。
【００１８】
図において、１は第１の記録媒体である光ディスクで、第１のデータである音声データまたは静止画像データあるいは両方のデータが記録されている記録媒体である。
【００１９】
２は第２の記録媒体であるメモリカードで、第２のデータである音声データまたは静止画像データあるいは両方のデータが記録されている記録媒体である。各データの再生時の組み合わせについては図２を用いて後述する。本実施の形態では光ディスクとメモリカードとを用いた構成としたが、記録媒体はこれらに限定されるものではない。また、第１の記録媒体としてメモリカード、第２の記録媒体として光ディスクとしてもよい。また、第１のデータ及び第２のデータのうち少なくとも一方が、静止画データなどのように時間的な変化を伴わないデータであればよい。
【００２０】
３は使用者によって操作が可能な操作部で、光ディスク１およびメモリカード２に記録されている音声データまたは静止画像データの中から、使用者が望む音声データまたは静止画像データの再生を選択できる働きを持ち、使用者により選択された音声データまたは静止画像データをシステムコントローラ４に伝える役割を担う。
【００２１】
４は制御手段であるシステムコントローラで、光ディスク１およびメモリカード２に記録されている所望のデータを取得するためにサーボ制御回路６およびカード制御回路８にデータ記録アドレスを指定する。また、サーボ制御回路６またはカード制御回路８により取得されるデータが音声データであれば、選択手段である切り替えスイッチ７をバッファメモリ９のリングバッファ９ａ側に切り替え、取得されるデータが静止画像データであれば切り替えスイッチ７をバッファメモリ９のリングバッファ９ｂ側に切り替える。また、システムコントローラ４はバッファメモリ９の残量管理などの制御も行っている。
【００２２】
６は第１の動作制御手段であるサーボ制御回路で、光ディスク１に記録されているデータを再生するために所望の記録アドレスにピックアップ５を移動させ、ピックアップ５から送出される再生信号をバッファメモリ９に格納する。このとき、再生信号が音声データであれば、システムコントローラ４により切り替えスイッチ７がバッファメモリ９のリングバッファ９ａ側に設定されるため、音声データはリングバッファ９ａに格納される。逆に、静止画像データであれば、切り替えスイッチ７がバッファメモリ９のリングバッファ９ｂ側に設定されるため、静止画像データはリングバッファ９ｂに格納される。
【００２３】
８は第２の動作制御手段であるカード制御回路で、メモリカード２に記録されているデータを再生するために所望の記録アドレスにアクセスし、メモリカード２から再生信号を取得する。このとき、再生信号が音声データであれば、システムコントローラ４により切り替えスイッチ７がバッファメモリ９のリングバッファ９ａ側に設定されるため、音声データはリングバッファ９ａに格納される。逆に、静止画像データであれば、切り替えスイッチ７がバッファメモリ９のリングバッファ９ｂ側に設定されるため、静止画像データはリングバッファ９ｂに格納される。
【００２４】
１０ａは音声復調手段であるオーディオデコード回路で、バッファメモリ９のリングバッファ９ａに格納されている音声データをデコード処理する。
【００２５】
１０ｂは映像復調手段であるビデオデコード回路で、バッファメモリ９のリングバッファ９ｂに格納されている静止画像データをデコード処理する。
【００２６】
１１ａは第１の変換手段であるオーディオデジタルアナログ変換部（以下、オーディオＤＡＣと記す）で、オーディオデコード回路１０ａでデコードされた音声データ（デジタル信号）を音声信号（アナログ信号）として出力する。なお、このオーディオＤＡＣ１１ａは、オーディオデコード部１０ａからの信号をデジタル信号のまま出力する場合には必要なく、オーディオデコード部１０ａからの信号をスピーカー１２ａにそのまま出力する。この時のスピーカー１２ａはデジタル入力対応（例えばＩＥＣ６０９５８入力対応）のものとする。
【００２７】
１１ｂは第２の変換手段であるビデオデジタルアナログ変換部（以下、ビデオＤＡＣと記す）で、ビデオデコード回路１０ｂでデコードされた静止画像データ（デジタル信号）をビデオ信号（アナログ信号）として表示する。なお、このビデオＤＡＣ１１ｂは、映像信号をデジタル出力する場合は必要なく、ビデオデコード回路１０ｂからの信号をそのままディスプレイ１２ｂに出力する。この時のディスプレイ１２ｂはデジタル入力対応（例えばＤＶＩ入力対応）のものとする。
【００２８】
１２ａは音響出力手段であるスピーカーで、オーディオＤＡＣ１１ａから出力された音声信号を音声として出力する。なお、本実施の形態ではスピーカーとしたが、音声を出力できるものであればこれに限定されるものではない。また、スピーカーは、装置内蔵型であってもよいし、別途出力端子を設けて外部接続されたスピーカーであってもよい。
【００２９】
１２ｂは映像出力手段であるディスプレイで、ビデオＤＡＣ１１ｂから出力されたビデオ信号を画像として出力する。なお本実施の形態ではディスプレイとしたが、映像を表示可能なものであればこれに限定されるものではない。また、携帯型映像再生装置（ポータブルＤＶＤプレーヤなど）であれば内蔵型の液晶モニタに相当し、別途出力端子を設けて外部接続したディスプレイ（テレビジョン受像機や液晶ディスプレイなど）に相当するものであってもよい。
【００３０】
なお、オーディオデコード部１０ａとオーディオＤＡＣ１１ａとスピーカ１２ａとで第１の出力手段を構成し、ビデオデコード部１０ｂとビデオＤＡＣ１１ｂとディスプレイ１２ｂとで第２の出力手段を構成している。
【００３１】
以上のように構成された本実施の形態のデータ再生方法およびデータ再生装置について、以下その動作について説明する。
【００３２】
本発明では光ディスク１に記録されている音声データまたは静止画像データとメモリカードに記録されている音声データまたは静止画像データを同時に再生制御することができる。再生可能な組み合わせを図２に示す。
【００３３】
図２において同時再生可能な組み合わせを○で示す。光ディスクに記録された音声データとメモリカードに記録された静止画像データ、光ディスク１に記録された静止画像データとメモリカード２に記録された音声データ、光ディスク１に記録された音声データと静止画像データ、メモリカード２に記録された音声データと静止画像データの組み合わせのみ同時再生可能である。また、同時再生ではないが、光ディスク１に記録された音声のみまたは静止画像のみの再生や、メモリカード２に記録された音声のみまたは静止画像のみの再生も可能である。
【００３４】
再生制御の一例として、光ディスク１に記録されている音声データと、メモリカード２に記録されている静止画像データを同時再生するときのバッファ制御方法を説明する。
【００３５】
図３は図１におけるバッファメモリ９のリングバッファ９ａのデータ記録位置および再生位置を表したものである。斜線部分はデータとして格納されており転送待ち状態、つまりデコード回路でのデコード処理待ち状態を表す。
【００３６】
初期時、バッファメモリ９のリングバッファ９ａは図３（ａ）で表され、記録位置と再生位置が同じ位置に存在し、リングバッファ９ａ上にはデータは格納されていない。同様に初期化時のバッファメモリ９のリングバッファ９ｂは図４（ａ）で表され、記録位置と再生位置が同じ位置に存在し、リングバッファ９ｂ上にはデータは格納されていない。データが記録されると図３および図４のリングバッファ内部データは時計回り方向にデータの記録位置が進み、再生されると時計回りに再生位置が進むものとする。
【００３７】
まず、光ディスク１に記録されている音声データを再生するために、使用者が操作部３を操作すると、操作部３はシステムコントローラ４に対し、選択された音声データの再生指示を伝える。システムコントローラ４は操作部３の要求に基づき、選択された音声データが記録されている光ディスク１の音声記録アドレスを算出し、記憶しておく。
【００３８】
次に、メモリカード２に記録されている画像データの再生をするために使用者が操作部３を操作すると、操作部３はシステムコントローラ４に対し、選択された画像データの再生指示を伝える。システムコントローラ４は操作部３の要求に基づき、選択された画像データが記録されているメモリカード２の画像記録アドレスを算出し、記憶しておく。
【００３９】
システムコントローラ４は記憶していた音声記録アドレスをサーボ制御回路６に通知する。サーボ制御回路６は通知された音声記録アドレス位置にピックアップ５を移動させ、音声データの再生信号を取得する。このときシステムコントローラ４は切り替えスイッチ７をバッファメモリ９のリングバッファ９ａ側に倒す。このため、取得した再生信号はリングバッファ９ａに順次格納されていく。リングバッファ９ａに音声データが格納されると同時に、オーディオデコード回路１０ａにより格納された音声データのデコード処理が始まる。
【００４０】
図３（ｂ）は一定時間経過したときのバッファメモリ９のリングバッファ９ａの記録位置および再生位置を示している。初期時よりも時計方向に記録位置が進み、再生位置も同じく時計方向に進む。転送待ちのデータは斜線部分で表している。このとき、バッファメモリ９のリングバッファ９ｂにはデータは格納されていないため、図４（ｂ）に表されるように初期状態のままである。
【００４１】
バッファメモリ９のリングバッファ９ａが飽和状態になるとシステムコントローラ４はサーボ制御回路６に対し、データ取得処理の停止を要求し、停止時の光ディスク１の音声記録アドレスと、バッファメモリ９のリングバッファ９ａの記録位置を記憶しておく。さらにシステムコントローラ４は切り替えスイッチ７をバッファメモリ９のリングバッファ９ａ側からリングバッファ９ｂ側に倒し、カード制御回路８に対し操作部３の指示により記憶していたメモリカード２に記録されている静止画像記録アドレス位置にアクセスし、静止画像データの信号を取得するよう要求する。
【００４２】
図３（ｃ）はバッファメモリ９のリングバッファ９ａが飽和状態になる直前の状態を表している。カード制御回路８によりメモリカード２に記録されている静止画像データが取得されるまでは、バッファメモリ９のリングバッファ９ｂの内部データは図４（ｃ）で表されるように初期状態と同等である。
【００４３】
カード制御回路８により取得された静止画像データはバッファメモリ９のリングバッファ９ｂに格納されていく。リングバッファ９ｂに静止画像データが格納されると同時に、ビデオデコード回路１０ｂは格納された静止画像データのデコード処理を開始する。このときのバッファメモリ９のリングバッファ９ｂの内部データが図４（ｄ）で表される。また、バッファメモリ９のリングバッファ９ａ上には転送待ちデータがあるため、オーディオデコード回路１０ａはデコード処理を継続する。このため、バッファメモリ９のリングバッファ９ａは転送待ちデータが消費されていき、図３（ｄ）のように表される。
【００４４】
もし、バッファメモリ９のリングバッファ９ｂが飽和状態になれば、システムコントローラ４はカード制御回路８に対し、静止画像データ取得処理の停止を要求し、停止時の静止画像記録アドレスとリングバッファ９ｂの記録位置を記憶しておく。
【００４５】
バッファメモリ９のリングバッファ９ａの転送待ちデータ残量が減少していき、所定のバッファ残量を下回るとシステムコントローラ４はカード制御回路８に対し、静止画像データの取得処理の停止を要求し、停止時の静止画像記録アドレスを記憶しておく。
【００４６】
ここで示している「所定のバッファ残量」とは、バッファメモリ９のリングバッファ９ａに次の音声データが格納される前にリングバッファ９ａがアンダーフローすることのないような値とする。具体的には、システムコントローラ４の指示によりサーボ回路６がピックアップ５を所望の記録アドレスに移動させ、ピックアップ５が再生信号を取得するまでに要する時間よりも、リングバッファ９ａに格納されている転送待ちデータがオーディオデコード回路１０ａによりデコードされリングバッファ９ａが空になるまでに要する時間の方が、長くなるようにする必要がある。このため、前者に要する時間をＴ１秒、後者に要する時間をＴ２秒とすると次式が成り立つ必要がある。
【００４７】
Ｔ１＜Ｔ２  ・・・（式１）
また、リングバッファ９ａに格納されているデータの転送レートをＲ１とすると、ここで述べている所定のバッファ容量Ｂは次式を満たすようなＢの値のことを指す。
【００４８】
Ｔ１＜（Ｂ／Ｒ１）  ・・・（式２）
しかしこの条件が適用されるのは、光ディスクに記録されている音声データと静止画像データとを同時に再生する場合に考慮する必要がある。本例で述べているような、光ディスク１に記録されている音声データとメモリカード２に記録されている静止画像データとの同時再生に関しては、バッファメモリ９のリングバッファ９ａが飽和状態になったときの、音声データの取得を停止させる際に、ピックアップ５の位置を移動させない状態で音声データの取得処理停止しておけば、次に音声データを取得する際、ピックアップ５を移動させることなく音声データの取得が可能であるため、Ｔ1はほぼ０に近い。また、メモリカード２に記録されている音声データと静止画像の同時再生に関しても、光ディスク１でピックアップ５を移動させる、いわゆるシーク動作が必要ないためＴ１という時間はほぼ０に近い。
【００４９】
さらにシステムコントローラ４は切り替えスイッチをバッファメモリ９のリングバッファ９ｂ側からリングバッファ９ａ側に倒す。このときのバッファメモリ９のリングバッファ９ａの内部データは図３（ｅ）で表される。また、バッファメモリ９のリングバッファ９ｂの内部データは図４（ｅ）で表される。
【００５０】
次にサーボ制御回路６に対し、記憶していた音声記録アドレスへピックアップ５を移動させ、音声データの再生信号を取得し、バッファメモリ９のリングバッファ９ａへ記憶していた記録位置の続きから格納する。このときバッファメモリ９のリングバッファ９ｂにはまだ転送待ちデータが残っているため、ビデオデコード回路１０ｂはデコード処理を継続する。このときのバッファメモリ９のリングバッファ９ａの内部データは図３（ｆ）のように表される。再びバッファメモリ９のリングバッファ９ａが図３（ｃ）のような飽和状態になるまで音声データ取得処理を続ける。
【００５１】
この段階では、ビデオデコード回路１０ｂによりバッファメモリ９のリングバッファ９ｂに格納されている転送待ちの静止画像データがデコード処理されているが、バッファメモリ９のリングバッファ９ａが再び飽和状態になった時点でのリングバッファ９ｂは二通りの状態が考えられる。静止画像データの転送レートが低い場合、バッファメモリ９のリングバッファ９ｂはアンダーフローせずに図４（ｆ−１）で表されるが、静止画像データの転送レートが高い場合、リングバッファ９ｂはアンダーフローを起こし、図４（ｆ−２）で表される。
【００５２】
音声データを格納しているバッファメモリ９のリングバッファ９ａがアンダーフローを起こすと聴感上支障をきたすが、静止画像データを格納しているリングバッファ９ｂがアンダーフローを起こしたとしても静止画像表示に時間を要するのみである。このため二つの独立した音声データと静止画像データを同時再生する場合、静止画像データのバッファアンダーフローが発生しても実用上問題ない。
【００５３】
以上のように本実施の形態によれば、音声データと静止画像データの組み合わせの同時再生行う場合においてこの再生方法を適用することにより、バッファメモリのサイズに依存せず、さらに一つのシステムコントローラで二つの制御対象物を同時再生することが可能となる。
【００５４】
さらに、リングバッファ９ｂはアンダーフローしても構わないデータを一時保存するものなので、リングバッファ９ａに比べて容量が小さいものを選択使用することができるため、コスト的にも有利である。
【００５５】
なお、本実施の形態では、メモリカード２に記録されたデータは静止画データとしたが、動画などのように連続的に変化するデータでなければ他のデータであってもよい。例えば、本装置を電子書籍に搭載し、メモリカードにテキストデータ（文章）を記憶させ、光ディスクから再生する音楽データをＢＧＭとしてテキストを閲覧可能なようにしてもよい。その際の構成としては、メモリカード２に記憶されたデータがテキストデータであればビデオＤＡＣ１１ｂは不要であるが、書籍の文章部分を画像データ（ビットマップなど）で構成されたものであれば、図１の構成をそのまま用いて実現することができる。
【産業上の利用可能性】
【００５６】
本発明のデータ再生方法を備えることにより、独立した音声データと静止画像データを同時に再生することが可能となるため、一つ以上の記録媒体の音声データと静止画像の再生機能を有した再生装置に対して有用である。再生装置として利用可能なものとしては、音声などの連続的なデータと、静止画やテキストデータなどの固定的なデータとを同時再生可能なものであればよく、例えばＤＶＤプレーヤ（据置型／携帯型）や電子書籍やＰＤＡ（個人情報機器）などに用いて有効である。
【図面の簡単な説明】
【００５７】
【図１】本発明の実施の形態における同時再生機能を有した再生装置のブロック図
【図２】同実施の形態における再生可能な組み合わせを示した説明図
【図３】同実施の形態におけるリングバッファ９ａ内部データの模式図
【図４】同実施の形態におけるリングバッファ９ｂ内部データの模式図
【図５】従来のデータ再生装置の構成を示すブロック図
【符号の説明】
【００５８】
１    光ディスク
２    メモリカード
３    操作部
４    システムコントローラ
５    ピックアップ
６    サーボ制御回路
７    切り替えスイッチ
８    カード制御回路
９    バッファメモリ
９ａ、９ｂ    リングバッファ
１０ａ    オーディオデコード回路
１０ｂ    ビデオデコード回路
１１ａ    オーディオＤＡＣ
１１ｂ    ビデオＤＡＣ
１２ａ    スピーカー
１２ｂ    ディスプレイ
【図１】
2005259283.tif 000003
【図２】
2005259283.tif 000004
【図３】
2005259283.tif 000005
【図４】
2005259283.tif 000006
【図５】
2005259283.tif 000007